(57)【要約】【課題】撓みにくくてケーブルラックへの雨水やごみの侵入を防止することができ、しかも板厚を薄くして軽量化することにより作業性を向上できるケーブルラックのカバーを提供する。【解決手段】内部にケーブル１が通線支持されるケーブルラック２の上面開口を覆うためにケーブルラック２の長手方向に複数並べて被着するケーブルラックのカバーＡである。そして少なくとも隣合うカバーＡに近接する端部に端部の幅方向の一端側から他端側に亙るように上方に凸曲した補強用の突部１１を設ける。【選択図】        図１
2004350395.tif 000002
【特許請求の範囲】
【請求項１】
内部にケーブルが通線支持されるケーブルラックの上面開口を覆うためにケーブルラックの長手方向に複数並べて被着するケーブルラックのカバーであって、少なくとも隣合うカバーに近接する端部に端部の幅方向の一端側から他端側に亙るように上方に凸曲した補強用の突部を設けたことを特徴とするケーブルラックのカバー。
【請求項２】
前記補強用の突部は突部の長手方向の両端部がその両端部間の中間部より上方に突出するように形成したことを特徴とする請求項１記載のケーブルラックのカバー。
【請求項３】
前記補強用の突部は突部の長手方向の中央部がこの中央部の両側より上方に突出するように形成したことを特徴とする請求項１または請求項２記載のケーブルラックのカバー。
【請求項４】
前記補強用の突部は端部のみならずカバーの全般に複数設けたことを特徴とする請求項１乃至請求項３のいずれかに記載のケーブルラックのカバー。
【請求項５】
一対の親桁間に複数本の子桁を架設した梯子状のケーブルラックに被着したとき前記突部がケーブルラックの子桁に重ならない位置を取るように設けたことを特徴とする請求項１乃至請求項４のいずれかに記載のケーブルラックのカバー。
【請求項６】
平面視大略Ｌ字状、Ｔ字状、十字状等の非直線状のカバーであって、直線部と袖部とに分割されると共に直線部と袖部とを連結して組み立てられたことを特徴とする請求項１乃至請求項５のいずれかに記載のケーブルラックのカバー。
【請求項７】
前記袖部は異なる平面視形状のカバー間で共用可能なように形成されたことを特徴とする請求項６記載のケーブルラックのカバー。
【請求項８】
前記袖部と直線部との連結部分に補強バーを配設したことを特徴とする請求項６または請求項７記載のケーブルラックのカバー。
【請求項９】
補強バーと袖部とはねじ止めされると共にそのねじ止め位置が直線部の補強用の突部に対応するように設けられたことを特徴とする請求項８記載のケーブルラックのカバー。
【請求項１０】
前記直線部と袖部とは現場で連結して組み立て可能なようにされたことを特徴とする請求項６乃至請求項９のいずれかに記載のケーブルラックのカバー。
【請求項１１】
前記袖部には軸部が上方に突出するように雄ねじ部材が保持され、前記直線部は貫通孔を有し、貫通孔を軸部に係合させて雄ねじ部材に雌ねじ部材を締結することで組み立てられたことを特徴とする請求項１０記載のケーブルラックのカバー。
【発明の詳細な説明】
【０００１】
【発明の属する技術分野】
本発明は、内部にケーブルが通線支持されるケーブルラックの上面開口に装着されてこの上面開口を塞ぐように覆うケーブルラックのカバーに関するものである。
【０００２】
【従来の技術】
一般に、ケーブルラックは梯子形状や偏平溝型等の形状に形成されて上面が開口しており、その内部には長手方向に沿ってケーブルが載置配線される。そして、ケーブルラックの内部に雨水やごみ等が浸入しないようにするため、必要に応じてケーブルラックの上面開口にはカバーが装着される。
【０００３】
このケーブルラックのカバーＣとしては、図３５に示すように内部に複数本のケーブル１が通線支持されるケーブルラック２の上面開口に装着されて、この上面開口を塞ぐものが知られている（例えば特許文献１参照）。このケーブルラックのカバーＣでは、カバー本体３が下方へ開口した偏平溝型に形成され、ケーブルラック２に上面開口に被されて装着される。一方、ケーブルラック２は梯子形状に形成され、両側の平行な親桁４の下縁付近間に複数の子桁５が架設固定され、上面が開口したものとなっている。ケーブルラック２の内部で通線支持される複数本のケーブル１は、複数本の子桁５上に掛け渡して載置される（所謂、ころがし配線される）ようになっている。
【０００４】
また上記ケーブルラックのカバーＣでは、カバー本体３が上板部６とその両側で一体に垂下する側板部７とでなり、カバー本体３の上面となる上板部６の表面は平坦面である。そしてケーブルラック２の上面開口に装着されるカバーＣは、クランプ材８、Ｌ型のボルト９及びナット１０でケーブルラック２に取り付け固定される。その際、クランプ材８をカバー本体３の上面に当接して架設すると共に親桁４の下側にＬ型のボルト９の屈曲した下端部分を係合させ、このボルト９の上端部分をクランプ材８の両端部分を挿通させて、ボルト９の上端部分にナット１０を螺合させ、このナット１０を締め付けることにより、カバーＣはケーブルラック２に取り付け固定される。
【０００５】
そして、このカバーＣは、ケーブルラック２の上面開口にその長手方向に並べられ相互に近接されるように装着される。従って、複数並設されるカバーＣによって、ケーブルラック２の上面開口は長手方向に亙って塞がれ、ケーブルラック２内への雨水やごみ等の侵入を防止することができるようになっている。
【０００６】
【特許文献１】
実公平１−１２４９３号公報
【０００７】
【発明が解決しようとする課題】
ところで、上記従来例の金属で形成されるカバーＣにあっては、カバー本体３の板厚は厚く（例えば１．６ｍｍ）、非常に重く、カバーＣを取り付け施工するときの作業性が悪いという問題があった。また従来のカバーＣは自重による撓みが大きかった。従って、雨が降ったとき、撓んで凹んだ部分で雨水が川のように流れ、隣合うカバーＣの突き合わせ部分からケーブルラック２内に雨水が容易に侵入した。故にカバーＣの撓みを防止するために下からカバーＣを支える等の別部材が必要であるという問題がある。
【０００８】
本発明は上記の点に鑑みてなされたものであり、撓みにくくてケーブルラックへの雨水やごみの侵入を防止することができ、しかも板厚を薄くして軽量化することにより作業性を向上できるケーブルラックのカバーを提供することを課題とするものである。
【０００９】
【課題を解決するための手段】
上記課題を解決するための本発明のケーブルラックのカバーは、内部にケーブルが通線支持されるケーブルラックの上面開口を覆うためにケーブルラックの長手方向に複数並べて被着するケーブルラックのカバーであって、少なくとも隣合うカバーに近接する端部に端部の幅方向の一端側から他端側に亙るように上方に凸曲した補強用の突部を設けたことを特徴とする。カバーの端部にこの端部の幅方向の一端側から他端側に亙るように補強用の突部を設けたことによりカバーをケーブルラックの上面開口に装着したとき幅方向の中央が凹むように撓むのを防止でき、撓みによる雨水の川ができたりするのを防止でき、しかも少なくとも端部で上方に凸曲するように補強用の突部を幅方向に亙って設けてあることにより雨水の流れを堰止めることができ、従って隣り合うカバーを突き合わせた部分から雨水が侵入するのを確実に防止できる。また上記のように補強用の突部を設けて補強するためにカバーの板厚を薄くすることができ、軽量化を図って施工の作業性を向上できる。
【００１０】
また前記補強用の突部は突部の長手方向の両端部がその両端部間の中間部より上方に突出するように形成したことを特徴とすることも好ましい。このようにすることにより、突部を形成するときの歪を低減できる。
【００１１】
また前記補強用の突部は突部の長手方向の中央部がこの中央部の両側より上方に突出するように形成したことを特徴とすることも好ましい。突部を形成するときの歪を低減できると共に中央部の強度を向上して一層撓みを防止できる。
【００１２】
また前記補強用の突部は端部のみならずカバーの全般に複数設けたことを特徴とすることも好ましい。このようにすることにより、一層強度を向上して撓みを防止できる。
【００１３】
また一対の親桁間に複数本の子桁を架設した梯子状のケーブルラックに被着したとき前記突部がケーブルラックの子桁に重ならない位置を取るように設けたことを特徴とすることも好ましい。この場合、カバーを取り付けたとき子桁の位置に突部が対応しなくて子桁の利用の可能性を確保できる。
【００１４】
また平面視大略Ｌ字状、Ｔ字状、十字状等の非直線状のカバーであって、直線部と袖部とに分割されると共に直線部と袖部とを連結して組み立てられたことを特徴とすることも好ましい。この場合、直線部の部材を共用して袖部の部材を連結して非直線状のカバーを組み立てることができ、部材の共用や製造の効率化を図ることができる。
【００１５】
また前記袖部は異なる平面視形状のカバー間で共用可能なように形成されたことを特徴とすることも好ましい。この場合、袖部の部材を共用して異なる平面視形状の非直線状のカバーを組み立てることができ、袖部の部材の製造の効率化を図ることができる。
【００１６】
また前記袖部と直線部との連結部分に補強バーを配設したことを特徴とすることも好ましい。この場合、袖部と直線部との連結部の強度を向上できる。
【００１７】
また補強バーと袖部とはねじ止めされると共にそのねじ止め位置が直線部の補強用の突部に対応するように設けられたことを特徴とすることも好ましい。この場合、直線部と袖部とを組み立てた時に突部でねじ止め部を隠蔽することができ、美観や安全性を確保できる。
【００１８】
また前記直線部と袖部とは現場で連結して組み立て可能なようにされたことを特徴とすることも好ましい。この場合、大きさの小さい状態で現場に運んで組み立てることができ、取り扱い性を向上できる。
【００１９】
また前記袖部には軸部が上方に突出するように雄ねじ部材が保持され、前記直線部は貫通孔を有し、貫通孔を軸部に係合させて雄ねじ部材に雌ねじ部材を締結することで組み立てられたことを特徴とすることも好ましい。この場合、袖部と直線部とを簡略に連結して組み立てることができる。
【００２０】
【発明の実施の形態】
図１乃至図３はケーブルラック２の直線状の部分に装着する直線状のカバーＣを示すものである。このカバーＣの主体となるカバー本体３は表面にエポキシ系の粉体塗料が塗布された鋼板、表面に溶融亜鉛メッキ処理が施された鋼板、ステンレス鋼板等で下方へ開口した偏平溝型に形成されている。このカバー本体３は上板部６とその両側で一体に垂下された側板部７とで形成され、カバー本体３の上面となる上板部６の表面は平坦面となっている。またカバー本体３はプレス加工により偏平溝型に成形されるもので、その際、少なくともカバー本体３の長手方向の端部には補強用の突部１１が上方に凸曲するように成形される。つまり、複数のカバーＣを並べて装着するとき隣り合うカバーＣと隣接する端部に少なくとも突部１１が形成される。また本発明では補強用の突部１１を設けるために厚さの薄い鋼板にて形成されている。つまり、従来は例えば１．６ｍｍの厚さの鋼板にて形成したが、本発明では例えば０．８ｍｍの厚さの鋼板にて形成されている。
【００２１】
この突部１１はカバー本体３の長手方向と直交する端縁１２と平行になるようにカバー本体３の幅方向の全長に亙って形成され、突部１１の長手方向の両端部は平面視円弧状になっている。この突部１１は下方を開口せる断面略逆Ｕ字状または断面略コ字状に形成されている。図１のカバーＣの場合、カバーＣの長手方向と直交する方向である幅方向の幅が比較的狭いものであるためにカバーＣの長手方向の両端部のみに突部１１を設けてある。図２のカバーＣの場合、幅が中程度のものであるためにカバーＣの長手方向の両端部以外にも複数本（本例の場合２本）の突部１１を設けて補強してある。図３のカバーＣの場合、幅がさらに広いものであるためにカバーＣの長手方向の両端部以外にさらに本数の多い複数本（本例の場合４本）の突部１１を設けてある。
【００２２】
一方、ケーブルラック２は図５に示すように梯子状に形成されており、両側の親桁４の下縁付近間に子桁５が架設されており、上面が開口したものとなっている。そして、ケーブルラック２の内部で通線支持される複数本のケーブル１は、複数の子桁５上に掛け渡すように載置されて（所謂、ころがし配線されて）いる。この場合、ケーブルラック２は梯子形状のものに限られず、上方へ開口した偏平溝型のものであってもよい。
【００２３】
そして、カバーＣは、ケーブルラック２の上面開口にその長手方向に複数並べられ相互に近接されるように装着される。その際、カバーＣの端縁１２は相互に長手方向で対向近接されて、上下に重なることがない。それ故、一つのカバーＣは隣接するカバーＣで邪魔されることなく、簡単に取り外すことができて、ケーブルラック２内のメンテナンス作業が容易になるようになっている。
【００２４】
またケーブルラック２に装着されるカバーＣは図５に示すようにその両側でクリップ具１３で挟持されることによりケーブルラック２に取り付け固定されるものである。図６に示すようにクリップ具１３は略コ字型で上下に対向する側片１３ａ，１３ｂのうち上に位置する側片１３ａにねじ穴１３ｃが穿孔され、このねじ穴１３ｃに止めねじ１４を螺合挿入されている。そしてクリップ具１３の下の側片１３ｂをケーブルラック２の親桁４の下側に係合させると共に上の側片１３ａをカバーＣの上面に上に配置させて、この上の側片１３ａの止めねじ１４を締め付けることにより、止めねじ１４の先端がカバーＣの上面に圧接され、カバーＣはケーブルラック２に取り付け固定される。本例の場合、上記のようなクリップ具１３にてケーブルラック２にカバーＣを取り付けたが、従来例で述べたような手段でカバーＣを取り付けてもその他の手段でカバーＣを取り付けてもよい。
【００２５】
上記のようにカバーＣをケーブルラック２に取り付けているが、カバーＣは厚さの薄い鋼板にて形成されているためにカバーＣは軽量で取り付け作業性を向上できる。またカバーＣには突部１１が幅方向に亙って設けられているためにカバーＣは幅方向の中央部が凹むように撓むのが防止され、カバーＣの上に雨が降っても雨水の川ができるようになったりしなく、しかも突部１１にて雨水が堰止められて隣合うカバーＣの継ぎ目に雨水が流れず、ケーブルラック２内部に雨水が浸入するのが確実に防止される。
【００２６】
ところで、カバーＣにはプレス加工するとき幅方向の全長に亙って上方に凸曲した突部１１が形成されるが、この突部１１の高さを図７に示すように幅方向の全長に亙って同じ高さとすると、図７のＡ方向（突部１１の長手方向と直交する方向）及びＢ方向（突部１１の長手方向と平行な方向）の歪が大（しわ大）となる。これをなくすために図８に示すように突部１１の長手方向の両端部を持ち上げ高さが他の部分より高くした部分１１ａを形成することが好ましい。本例の場合、このように端部を高くした部分１１ａは端部から中央に向けて徐々に低くなるように傾斜している。このように端部を高くした部分１１ａを形成すると、端部方向にしわを引っ張ることとなり、Ａ方向の歪を極小とすると共にＢ方向の歪を小とすることができる。
【００２７】
さらに図８のように端部を高くした部分１１ａを形成した上に図９に示すように突部１１の長手方向の中央部分に中央部分が他の部分より高くなるように持ち上げることにより高くした部分１１ｂを形成することも好ましい。本例の場合、中央部分の高さを高くした部分１１ｂは角錐状に突出している。このように中央部分の高さを高くした部分１１ｂを形成すると、中央部分にしわを引っ張ることとなり、Ａ方向の歪を極小とすると共にＢ方向の歪を極小とでき、さらに中央部分の強度をアップできる。
【００２８】
また、カバーＣに端縁１２に近い位置に突部１１を幅方向に亙って設けるが、この突部１１は端縁１２からある程度離して設けることが望ましい。図１０（ａ）のように端縁１２から突部１１までの距離ｘが例えば７５ｍｍ以下と小さいと、図１０（ａ）に示すように端縁１２に引け１６ができるが、図１０（ｂ）に示すように端縁１２から突部１１までの距離ｘが例えば１００ｍｍ以上と大きいと引け１６がなくなる。
【００２９】
上記のようにケーブルラック２の直線状の部分に取り付けるカバーＣに突部１１を設けるが、このカバーＣに設ける突部１１の位置は図１１乃至図１３に示すようにケーブルラック２にカバーＣを装着したときケーブルラック２の子桁５に平面視で重ならない位置に設けることが好ましい。このようにすると、子桁５を利用して部材を取り付けたりする場合、突部１１が邪魔になったりすることなく、子桁５の利用の可能性を確保することができる。
【００３０】
上述の説明ではケーブルラック２の直線状の部分に取り付けるカバーＣの例について述べたが、以下、平面視大略Ｌ字状、Ｔ字状、十字状等の非直線状の部分に取り付けるカバーＣの例について述べる。
【００３１】
まず、図１４に示す非直線状のカバーＣの例から述べる。本例は外直角水平エルボと称されるカバーＣで平面視の形状がＬ字状になっており、外隅部が直角になっていると共に内隅部が円弧状になっている。このカバーＣも上板部６と側板部７とを有し、外隅部及び内隅部に沿って側板部７が設けられている。この外直角水平エルボと称されるカバーＣも隣合うカバーＣに隣接する端部に幅方向に亙って突部１１を設けてある。図１４に示すカバーＣは幅の狭いものであり、両端部にのみ突部１１を設けてある。かかる例の突部１１も図９に示すような形状に形成されている。
【００３２】
次に図１５、図１６に示す非直線状のカバーＣの例について述べる。本例も外直角水平エルボと称されるカバーＣで平面視の形状がＬ字状になっており、外隅部が直角になっていると共に内隅部が円弧状になっている。本例の場合、上記のような形状のカバーＣが矩形状の直線部１７と円弧状の縁部のある袖部１８とに分割されており、直線部１７及び袖部１８に夫々図９に示すような突部１１を設けてある。この直線部１７と袖部１８とは縁部同士を重ねて連結するのであるが、袖部１８の方が下になるように重ねて連結される。袖部１８の連結する縁部には雄ねじ部材としてのボルト１９を下から挿通してボルト１９の頭部１９ａを係止させると共にボルト１９の軸部を上方に突出させてある。一方直線部１７の連結する縁部には貫通孔を穿孔してあり、この貫通孔にボルト１９の軸部を挿通し、雌ねじ部材としてのナット２０を軸部に螺合して締結してある。このようにカバーＣが直線部１７と袖部１８に分割してあると、他のカバーＣと直線部１７の部材を共用できると共に製造の効率化を図ることができる。図１５に示すカバーＣは幅が中間程度のものであり、カバーＣの全般に亙って突部１１を設けてある。
【００３３】
次に図１７、図１８に示す非直線状のカバーＣの例について述べる。本例も外直角水平エルボと称されるカバーＣで平面視の形状がＬ字状になっており、またカバーＣが矩形状の直線部１７と円弧状の縁部のある袖部１８とに分割されており、直線部１７及び袖部１８に夫々図９に示すような突部１１を設けてある。本例のカバーＣは図１５に示すカバーよりさらに幅の広いものであり、直線部１７にさらに本数の多い突部１１を設けてある。また袖部１８の連結する部分の裏面側に補強バー２１を沿わせてあり、袖部１８の上面から補強バー２１まで止めねじ２２を打入して連結する縁の部分の略全長に亙って補強バー２１を装着してある。この止めねじ２２を打入する位置は直線部１７の突部１１に対応する位置である。そして直線部１７の連結する縁部の下に袖部１８の連結する縁部を重ねたとき止めねじ２２の頭部が直線部１７の突部１１内に収まり、直線部１７と袖部１８とを連結した止めねじ２２による止め部分が隠蔽される。また袖部１８の連結する縁部には雄ねじ部材としてのボルト１９を下から挿通してボルト１９の頭部１９ａを係止させると共にボルト１９の軸部を上方に突出させてある。一方直線部１７の連結する縁部には貫通孔を穿孔してあり、この貫通孔にボルト１９の軸部を挿通し、雌ねじ部材としてのナット２０を軸部に螺合して締結してある。
【００３４】
図１７に示すようなカバーＣは工場で直線部１７と袖部１８とを連結して組み立てこの組み立て状態で現場に搬送して取り付け施工してもよいが、直線部１７と袖部１８とを分解した状態で現場に搬送し、現場で直線部１７と袖部１８とを別々にケーブルラック２に取り付けて直線部１７と袖部１８とを連結してもよい。つまり、図１９（ａ）に示すようなケーブルラック２の上に図１９（ｂ）に示すように袖部１８を載せる。このとき、袖部１８にはボルト１９を予め取り付けてあり、軸部を上方に突出させてあるが、この軸部には保護チューブを被せてある。袖部１８を載せた後、図１９（ｃ）に示すようにケーブルラック２に直線部１７を載せて袖部１８の連結する縁部の上に直線部１７の連結する縁部を載せ、ボルト１９の軸部に直線部１７の貫通孔を挿通し、軸部の保護チューブを取り外し、軸部にナット２０を螺合して図１９（ｄ）のように直線部１７と袖部１８とを締結する。
【００３５】
次に図２０に示す非直線状のカバーＣの例について述べる。本例は水平ティーと称されるカバーＣで平面視の形状がＴ字状になっており、内隅部が円弧状になっている。この水平ティーと称されるカバーＣも隣合うカバーＣに隣接する端部に幅方向に亙って突部１１を設けてある。図２０に示すカバーＣは幅の狭いものであり、端部にのみ突部１１を設けてある。かかる例の突部１１も図９に示すような形状に形成されている。
【００３６】
次に図２１に示す非直線状のカバーＣの例について述べる。本例も水平ティーと称されるカバーＣで平面視の形状がＴ字状になっており、内隅部が円弧状になっている。本例の場合、上記のような形状のカバーＣが矩形状の直線部１７と円弧状の縁部のある袖部１８とに分割されており、直線部１７及び袖部１８に夫々図９に示すような突部１１を設けてある。この直線部１７と袖部１８とは図１５、図１６に示す例と同様に縁部同士を重ね、ボルト１９とナット２０にて連結してある。図２１に示すカバーＣは幅が中間程度のものであり、カバーＣの全般に亙って突部１１を設けてある。
【００３７】
次に図２２に示す非直線状のカバーＣの例について述べる。本例も水平ティーと称されるカバーＣで平面視の形状がＴ字状になっており、またカバーＣが矩形状の直線部１７と円弧状の縁部のある袖部１８とに分割されており、直線部１７及び袖部１８に夫々図９に示すような突部１１を設けてある。本例のカバーＣは図２０に示すカバーＣよりさらに幅の広いものであり、直線部１７にさらに本数の多い突部１１を設けてある。また図１７や図１８の例と同様に袖部１８の連結する部分の裏面側に補強バー２１を沿わせてあり、袖部１８の上面から補強バー２１まで止めねじ２２を打入して連結する縁の部分の略全長に亙って補強バー２１を装着してある。また直線部１７と袖部１８とは図１７や図１８の例と同様に縁部同士を重ね、ボルト１９とナット２０にて連結してある。
【００３８】
次に図２３に示す非直線状のカバーＣの例について述べる。本例は水平クロスと称されるカバーＣで平面視の形状が十字状になっており、隅部が円弧状になっている。この水平ティーと称されるカバーＣも隣合うカバーＣに隣接する端部に幅方向に亙って突部１１を設けてある。図２３に示すカバーＣは幅の狭いものであり、端部にのみ突部１１を設けてある。かかる例の突部１１も図９に示すような形状に形成されている。
【００３９】
次に図２４に示す非直線状のカバーＣの例について述べる。本例も水平クロスと称されるカバーＣで平面視の形状が十字状になっており、隅部が円弧状になっている。本例の場合、上記のような形状のカバーＣが矩形状の直線部１７と円弧状の縁部のある一対の袖部１８とに分割されており、直線部１７及び袖部１８に夫々図９に示すような突部１１を設けてある。この直線部１７と袖部１８とは図１５、図１６に示す例と同様に縁部同士を重ね、ボルト１９とナット２０にて連結してある。図２４に示すカバーＣは幅が中間程度のものであり、カバーＣの全般に亙って突部１１を設けてある。また本例のカバーＣの袖部１８は図２１に示すカバーＣの袖部１８と同じものであり、部材を共用できる。
【００４０】
次に図２５に示す非直線状のカバーの例について述べる。本例も水平クロスと称されるカバーＣで平面視の形状が十字状になっており、またカバーＣが矩形状の直線部１７と円弧状の縁部のある一対の袖部１８とに分割されており、直線部１７及び袖部１８に夫々図９に示すような突部１１を設けてある。本例のカバーＣは図２４に示すカバーＣよりさらに幅の広いものであり、直線部１７にさらに本数の多い突部１１を設けてある。また図１７や図１８の例と同様に袖部１８の連結する部分の裏面側に補強バー２１を沿わせてあり、袖部１８の上面から補強バー２１まで止めねじ２２を打入して連結する縁の部分の略全長に亙って補強バー２１を装着してある。また直線部１７と袖部１８とは図１７や図１８の例と同様に縁部同士を重ね、ボルト１９とナット２０にて連結してある。また本例のカバーＣの袖部１８も図２２に示すカバーＣの袖部１８と同じであり、部材を共用できる。
【００４１】
次に図２６に示す非直線状のカバーＣの例について述べる。本例は９０°エルボと称されるカバーＣで平面視の形状が円弧状になっている。この９０°エルボと称されるカバーＣも隣合うカバーＣに隣接する端部に幅方向に亙って突部１１を設けてある。図２６に示すカバーＣは幅の狭いものであり、端部にのみ突部１１を設けてある。かかる例の突部１１も図９に示すような形状に形成されている。
【００４２】
次に図２７に示す非直線状のカバーＣの例について述べる。本例も９０°エルボと称されるカバーＣで平面視の形状が円弧状になっている。本例の場合、カバーＣの幅が中間程度のものであり、図９に示すような突部１１をカバーＣ全般に亙って設けてある。
【００４３】
次に図２８に示す非直線状のカバーＣの例について述べる。本例も９０°エルボと称されるカバーＣで平面視の形状が円弧状になっている。本例の場合、カバーＣの幅が広いものであり、扇型の２つの分割板２４に分割してあり、各分割板２４に夫々突部１１を設けてある。この分割板２４の縁部同士は重ね合わせられ、ボルト１９とナット２０で締結してある。
【００４４】
次に図２９乃至図３２に示す非直線状のカバーＣの例について述べる。図２９、図３０は６０°エルボと称されるカバーＣで、図３１、図３２は４５°エルボと称されるカバーＣである。図２９や図３１に示すカバーＣは図２６に示すものと角度が異なるだけで構造は同じであり、幅の狭いものや幅が中間程度のものである。図３０、図３２に示すカバーＣは図２８に示す角度が異なるだけで構造は同じであり、幅の広いものである。また上記のような９０°、６０°、４５°のエルボ以外に３０°やその他の角度のエルボがあり、上記と同様に構成される。
【００４５】
次に図３３、図３４に示す非直線状のカバーＣの例について述べる。本例は平面でなく側面視彎曲状に曲げたものであり、図３３は外曲がりと称されるカバーＣで、図３４は内曲がりと称されるカバーＣである。これらの何れのカバーＣも両端部に図９に示すような突部１１を幅方向に亙って設けてある。
【００４６】
なお、上記の非直線状のカバーＣの例では、補強バー２１を袖部１８に取り付けたことについて説明したが、この補強バー２１は直線部１７に取り付ける場合も、直線部１７と袖部１８の両方に取り付ける場合もある。
【００４７】
【発明の効果】
本発明は、カバーをケーブルラックの上面開口に装着したとき幅方向の中央が凹むように撓むのを防止でき、撓みによる雨水の川ができたりするのを防止でき、しかも少なくとも端部で上方に凸曲するように補強用の突部を幅方向に亙って設けてあることにより雨水の流れを堰止めることができる。従って隣り合うカバーを突き合わせた部分から雨水が侵入するのを確実に防止できる。また上記のように補強用の突部を設けて補強するためにカバーの板厚を薄くすることができ、軽量化を図って施工の作業性を向上できる。
【図面の簡単な説明】
【図１】本発明の一例のカバーを示し、（ａ）は平面図、（ｂ）は正面図、（ｃ）は（ａ）のＤ−Ｄ′線断面図、（ｄ）は（ａ）のＥ−Ｅ′−Ｅ″線断面図である。
【図２】同上の他の例のカバーを示し、（ａ）は平面図、（ｂ）は正面図、（ｃ）は（ａ）のＤ−Ｄ′線断面図、（ｄ）は（ａ）のＥ−Ｅ′−Ｅ″線断面図である。
【図３】同上の他の例のカバーを示し、（ａ）は平面図、（ｂ）は正面図、（ｃ）は（ａ）のＤ−Ｄ′線断面図、（ｄ）は（ａ）のＥ−Ｅ′−Ｅ″線断面図である。
【図４】（ａ）は図１（ｄ）、図２（ｄ）、図３（ｄ）のＦ部拡大図、（ｂ）は図１（ａ）、図２（ａ）、図３（ａ）のＧ−Ｇ′線断面図、（ｃ）は図１（ａ）、図２（ａ）、図３（ａ）のＨ−Ｈ′線断面図、（ｄ）は図１（ａ）、図２（ａ）、図３（ａ）のＩ−Ｉ′線断面図である。
【図５】同上のカバーをケーブルラックに取り付けた状態の斜視図である。
【図６】同上のクリップ具の斜視図である。
【図７】同上の突部の加工を説明するための図で、（ａ）は断面図、（ｂ）は平面図である。
【図８】同上の突部の加工を説明するための図で、（ａ）は断面図、（ｂ）は平面図である。
【図９】同上の突部の加工を説明するための図で、（ａ）は断面図、（ｂ）は平面図である。
【図１０】同上の突部の加工を説明するための図で、（ａ）（ｂ）は平面図である。
【図１１】同上のカバーとケーブルラックの関係の一例を説明する平面図である。
【図１２】同上のカバーとケーブルラックの関係の他例を説明する平面図である。
【図１３】同上のカバーとケーブルラックの関係の他例を説明する平面図である。
【図１４】同上の他の例のカバー示し、（ａ）は平面図、（ｂ）は正面図、（ｃ）は側面図である。
【図１５】同上の他の例のカバーを示し、（ａ）平面図、（ｂ）は正面図、（ｃ）は側面図、（ｄ）は（ａ）のＪ−Ｊ′線断面図である。
【図１６】（ａ）は図１５（ｄ）のＫ５部拡大断面図、（ｂ）は図１５（ｄ）のＫ１部拡大断面図、（ｃ）は図１５（ｄ）のＫ２、Ｋ３、Ｋ４部拡大断面図である。
【図１７】同上の他の例のカバーを示し、（ａ）平面図、（ｂ）は正面図、（ｃ）は側面図、（ｄ）は（ａ）のＬ−Ｌ′線断面図である。
【図１８】（ａ）は図１７（ｄ）のＭ４部拡大断面図、（ｂ）は図１５（ｄ）のＭ１部拡大断面図、（ｃ）は図１５（ｄ）のＭ２、Ｍ３部拡大断面図である。
【図１９】（ａ）（ｂ）（ｃ）（ｄ）は同上のカバーの袖部と直線部とを別々に取り付ける状態を説明する平面図である。
【図２０】同上のカバーの他の例を示し、（ａ）は平面図、（ｂ）は正面図、（ｃ）は側面図である。
【図２１】同上のカバーの他の例を示し、（ａ）は平面図、（ｂ）は正面図、（ｃ）は側面図である。
【図２２】同上のカバーの他の例を示し、（ａ）は平面図、（ｂ）は正面図、（ｃ）は側面図である。
【図２３】同上の他の例のカバーを示し、（ａ）は平面図、（ｂ）は正面図、（ｃ）は側面図である。
【図２４】同上の他の例のカバーを示し、（ａ）は平面図、（ｂ）は正面図、（ｃ）は側面図である。
【図２５】同上の他の例のカバーを示し、（ａ）は平面図、（ｂ）は正面図、（ｃ）は側面図である。
【図２６】同上の他の例のカバーを示し、（ａ）は平面図、（ｂ）は正面図、（ｃ）は側面図である。
【図２７】同上の他の例のカバーを示し、（ａ）は平面図、（ｂ）は正面図、（ｃ）は側面図である。
【図２８】同上の他の例のカバーを示し、（ａ）は平面図、（ｂ）は正面図、（ｃ）は側面図である。
【図２９】同上の他の例のカバーを示し、（ａ）は平面図、（ｂ）は正面図、（ｃ）は側面図である。
【図３０】同上の他の例のカバーを示し、（ａ）は平面図、（ｂ）は正面図、（ｃ）は側面図である。
【図３１】同上の他の例のカバーを示し、（ａ）は平面図、（ｂ）は正面図、（ｃ）は側面図である。
【図３２】同上の他の例のカバーを示し、（ａ）は平面図、（ｂ）は正面図、（ｃ）は側面図である。
【図３３】同上の他の例のカバーを示し、（ａ）は正面図、（ｂ）は側面図である。
【図３４】同上の他の例のカバーを示し、（ａ）は正面図、（ｂ）は側面図である。
【図３５】従来例を示す分解斜視図である。
【符号の説明】
Ｃ  カバー
１  ケーブル
２  ケーブルラック
３  カバー本体
４  親桁
５  子桁
１１  突部
１７  直線部
１８  袖部
１９  ボルト
２０  ナット
２１  補強バー
【図１】
2004350395.tif 000003
【図２】
2004350395.tif 000004
【図３】
2004350395.tif 000005
【図４】
2004350395.tif 000006
【図５】
2004350395.tif 000007
【図６】
2004350395.tif 000008
【図７】
2004350395.tif 000009
【図８】
2004350395.tif 000010
【図９】
2004350395.tif 000011
【図１０】
2004350395.tif 000012
【図１１】
2004350395.tif 000013
【図１２】
2004350395.tif 000014
【図１３】
2004350395.tif 000015
【図１４】
2004350395.tif 000016
【図１５】
2004350395.tif 000017
【図１６】
2004350395.tif 000018
【図１７】
2004350395.tif 000019
【図１８】
2004350395.tif 000020
【図１９】
2004350395.tif 000021
【図２０】
2004350395.tif 000022
【図２１】
2004350395.tif 000023
【図２２】
2004350395.tif 000024
【図２３】
2004350395.tif 000025
【図２４】
2004350395.tif 000026
【図２５】
2004350395.tif 000027
【図２６】
2004350395.tif 000028
【図２７】
2004350395.tif 000029
【図２８】
2004350395.tif 000030
【図２９】
2004350395.tif 000031
【図３０】
2004350395.tif 000032
【図３１】
2004350395.tif 000033
【図３２】
2004350395.tif 000034
【図３３】
2004350395.tif 000035
【図３４】
2004350395.tif 000036
【図３５】
2004350395.tif 000037